(57)【要約】【課題】配線パターンを有して特性インピーダンスの調節を容易にしつつ高速差動信号を伝送可能な差動信号用配線基板を提供する。【解決手段】差動信号用配線基板１は、絶縁層と、絶縁層の一方の面に、第１の方向に延びるとともに互いに平行に配置された第１の信号配線２３および第２の信号配線２４と、絶縁層の他方の面に複数の開口部３１を有して配置された配線パターン３０とを備え、絶縁層の厚さ方向Ｚに見て、第１の信号配線と第２の信号配線との間に第１の方向に平行に設定されるとともに、自身から第１の信号配線までと第２の信号配線までとの距離が互いに等しく設定された基準線Ｌ１に対して、複数の開口部は線対称になるように配置され、それぞれの開口部の外縁に対する接線Ｔ１の少なくとも一部は、基準線に対して９０°未満で交わるように形成され、第１の信号配線および第２の信号配線は、差動配線である。【選択図】図１
2012227211.tif 000002
【特許請求の範囲】
【請求項１】
絶縁層と、
前記絶縁層の一方の面に、第１の方向に延びるとともに互いに平行に配置された第１の信号配線および第２の信号配線と、
前記絶縁層の他方の面に複数の開口部を有して配置された配線パターンと、
を備え、
前記絶縁層の厚さ方向に見て、前記第１の信号配線と前記第２の信号配線との間に前記第１の方向に平行に設定されるとともに、自身から前記第１の信号配線までと前記第２の信号配線までとの距離が互いに等しく設定された基準線に対して、複数の前記開口部は線対称になるように配置され、
それぞれの前記開口部の外縁に対する接線の少なくとも一部は、前記基準線に対して９０°未満で交わるように形成され、
前記第１の信号配線および前記第２の信号配線は、差動配線であることを特徴とする差動信号用配線基板。
【請求項２】
複数の前記開口部は、前記第１の方向に一定の周期で形成されるとともに、前記一方の面に平行であって前記第１の方向に直交する第２の方向に前記第１の信号配線と前記第２の信号配線との距離の２倍の周期で形成されていることを特徴とする請求項１記載の差動信号用配線基板。
【請求項３】
前記絶縁層の一方の面に、前記第１の方向に延びるとともに前記第１の信号配線および前記第２の信号配線を挟むように配置された一対のグランド配線を備え、
前記グランド配線と前記基準線との距離は互いに等しく設定されていることを特徴とする請求項１に記載の差動信号用配線基板。
【請求項４】
前記配線パターンは、グランド層または電源層であることを特徴とする請求項１に記載の差動信号用配線基板。
【発明の詳細な説明】
【技術分野】
【０００１】
本発明は、高速差動信号を伝送する差動信号用配線基板に関する。
【背景技術】
【０００２】
従来、デジタルカメラ、携帯電話等の電子機器における高性能化、高機能化にともない、電子機器の信号配線を伝送する信号が高速化している。また、電子機器の小型化にともない、電子機器内部のスペースを有効活用するために、硬質のビルドアップ等の多層配線基板および軟質のフレキシブルプリント基板等が多用されている。
一般に、信号配線における特性インピーダンスが不整合となることで、信号配線において信号の反射に起因したノイズが発生することが知られている。また、硬質および軟質の配線基板における絶縁層を薄くすると、小型化できる一方で、配線基板に配置した信号配線の特性インピーダンスが所望の値より低下し、前述のように、特性インピーダンスの不整合によりノイズが発生する問題が広く知られている。この問題の発生は、電子機器の信号伝送の高速化に伴い、より顕著となっている。
【０００３】
このような配線基板において、配置した信号配線の特性インピーダンスを所望の値にする技術として、絶縁層を介して信号配線と対向した層に配置したグランドパターンを、開口部を有するメッシュ配線（配線パターン）とする方法が知られている。グランドパターンをメッシュ配線とするのは、以下の理由による。
信号配線の幅、厚さ、材質が同一とすると、絶縁層が厚い場合の所望の値を得るためのグランドパターンを絶縁層を薄くした場合にそのまま適用すると、信号配線とグランドパターンとの距離が狭くなるため結合容量が増加して、特性インピーダンスが所望の値より小さくなる。そこで、グランドパターンをメッシュ配線とすることで、信号配線と結合するグランドパターンの面積を減少させて、特性インピーダンスを所望の値にすることができる。
【０００４】
この一例として、特許文献１に記載された配線基板では、互いに異なる方向に延びる２つのパターンであって、信号配線と平行な基準線に対して線対称になるように配置されたものでメッシュ配線を構成している。そして、２つのパターンが交差する部分の前記信号配線の配線方向の少なくとも一方に、２つのパターンが交差する部分の面積に等しい付加的グランドパターンを設けている。この配線基板によれば、信号配線とメッシュ配線との位置関係に関わらず、各メッシュ配線の特性インピーダンスを等しくすることができる。
【０００５】
一方で、近年、電子機器の信号伝送の高速化に対応するために、ＬＶＤＳ（Ｌｏｗ  Ｖｏｌｔａｇｅ  Ｄｉｆｆｅｒｅｎｔｉａｌ  Ｓｉｇｎａｌｉｎｇ）に代表される高速差動信号が用いられている。
ＬＶＤＳは、所定の電圧を基準に信号レベルが反転した２つの信号を、配線基板の同一層に隣接して配置した２つの信号配線のペアーで伝送する方式である。ＬＶＤＳは、信号レベルの振幅が小さいため高速な信号伝送ができるとともに、反転した２つの信号の差分信号をＩＣ等を介してシングル信号として出力するため、外部からのノイズに対する耐性が高い。
【０００６】
ここで、ＬＶＤＳにおいては、２つの信号配線の対称性が重要となる。すなわち、２つの信号配線の長さが互いに等しくなることはもちろん、絶縁層を介して信号配線と対向した層に配置したメッシュ配線が、絶縁層の厚さ方向に見て、２つの信号配線の中央に位置する基準線に対して線対称になるように配置されていることが必要となる。この対称性が保てないと、２つの信号配線の特性インピーダンスの不整合位置がずれることで、２つ高速差動信号の反射位置、および、２つの高速差動信号への影響に差異が生じ、これに起因したノイズを発生する。
さらに、反転した２つの信号から、差分信号をＩＣ等を介してシングル出力できない場合すらある。特に、配線基板を小型化する場合には、絶縁層を薄くしたことにより、信号配線とメッシュ配線との結合が強くなり、２つの信号配線とメッシュ配線との位置関係が対称性を決定付けるため、この位置関係の影響度が大きくなる。
そこで、ＬＶＤＳに対応可能なメッシュ配線を有する配線基板が必要となってきている。
【先行技術文献】
【特許文献】
【０００７】
【特許文献１】特開２００６−８６２９３号公報
【発明の概要】
【発明が解決しようとする課題】
【０００８】
しかしながら、特許文献１に記載の配線基板では、絶縁層の厚さ方向に見て、同一層に隣接して配置した２つの信号配線と、絶縁層を介して信号配線と対向した層に配置したメッシュ配線との位置関係の対称性が無く、ＬＶＤＳには対応不可能である。また、厚さ方向に見て信号配線とメッシュ配線との位置関係の対称性が無いため、信号配線の長さが短い場合には、メッシュ配線における２つのパターンが交差する部分において、交差する部分の面積に等しい付加的グランドパターンを設けても、各信号配線と結合するメッシュ配線の面積が異なるため特性インピーダンスを等しくすることができないという問題があった。
【０００９】
本発明は、上記のような問題を解決するためになされたもので、配線パターンを有して特性インピーダンスの調節を容易にしつつ高速差動信号を伝送可能な差動信号用配線基板を提供することを目的とする。
【課題を解決するための手段】
【００１０】
上記課題を解決するために、この発明は以下の手段を提案している。
本発明の差動信号用配線基板は、絶縁層と、前記絶縁層の一方の面に、第１の方向に延びるとともに互いに平行に配置された第１の信号配線および第２の信号配線と、前記絶縁層の他方の面に複数の開口部を有して配置された配線パターンと、を備え、前記絶縁層の厚さ方向に見て、前記第１の信号配線と前記第２の信号配線との間に前記第１の方向に平行に設定されるとともに、自身から前記第１の信号配線までと前記第２の信号配線までとの距離が互いに等しく設定された基準線に対して、複数の前記開口部は線対称になるように配置され、それぞれの前記開口部の外縁に対する接線の少なくとも一部は、前記基準線に対して９０°未満で交わるように形成され、前記第１の信号配線および前記第２の信号配線は、差動配線であることを特徴としている。
【００１１】
また、上記の差動信号用配線基板において、複数の前記開口部は、前記第１の方向に一定の周期で形成されるとともに、前記一方の面に平行であって前記第１の方向に直交する第２の方向に前記第１の信号配線と前記第２の信号配線との距離の２倍の周期で形成されていることがより好ましい。
また、上記の差動信号用配線基板において、前記絶縁層の一方の面に、前記第１の方向に延びるとともに前記第１の信号配線および前記第２の信号配線を挟むように配置された一対のグランド配線を備え、前記グランド配線と前記基準線との距離は互いに等しく設定されていることがより好ましい。
また、上記の差動信号用配線基板において、前記配線パターンは、グランド層または電源層であることがより好ましい。
【発明の効果】
【００１２】
本発明の差動信号用配線基板によれば、配線パターンを有して特性インピーダンスの調節を容易にしつつ高速差動信号を伝送可能な差動信号用配線基板を提供することができる。
【図面の簡単な説明】
【００１３】
【図１】本発明の第１実施形態の差動信号用配線基板の一部を透視させた平面図である。
【図２】図１中の切断線Ｂ１−Ｂ１の断面図である。
【図３】図１中の切断線Ｂ２−Ｂ２の断面図である。
【図４】図１中の切断線Ａ１−Ａ１の断面図である。
【図５】本発明の第２実施形態の差動信号用配線基板の一部を透視させた平面図である。
【図６】図５中の切断線Ｂ３−Ｂ３の断面図である。
【図７】図５中の切断線Ｂ４−Ｂ４の断面図である。
【図８】図５中の切断線Ａ３−Ａ３の断面図である。
【図９】本発明の第３実施形態の差動信号用配線基板の一部を透視させた平面図である。
【図１０】図９中の切断線Ｂ５−Ｂ５の断面図である。
【図１１】図９中の切断線Ｂ６−Ｂ６の断面図である。
【図１２】図９中の切断線Ａ５−Ａ５の断面図である。
【図１３】本発明の第４実施形態の差動信号用配線基板の一部を透視させた平面図である。
【図１４】図１３中の切断線Ｂ７−Ｂ７の断面図である。
【図１５】図１３中の切断線Ｂ８−Ｂ８の断面図である。
【図１６】図１３中の切断線Ａ７−Ａ７の断面図である。
【図１７】本発明の第５実施形態の差動信号用配線基板の一部を透視させた平面図である。
【図１８】図１７中の切断線Ｂ９−Ｂ９の断面図である。
【図１９】図１７中の切断線Ｂ１０−Ｂ１０の断面図である。
【図２０】図１７中の切断線Ａ９−Ａ９の断面図である。
【図２１】本発明の変形例の差動信号用配線基板の一部を透視させた平面図である。
【発明を実施するための形態】
【００１４】
（第１実施形態）
以下、本発明に係る差動信号用配線基板の第１実施形態を、図１から図４を参照しながら説明する。以下の実施形態では、差動信号用配線基板が２層の軟質のフレキシブルプリント基板（以下、「ＦＰＣ」と称する。）である場合について説明する。
図１および図２に示すように、ＦＰＣ１は、絶縁層１０と、絶縁層１０の一方の面１１に、第１の方向に延びるとともに互いに平行に配置された信号配線２１〜２６と、絶縁層１０の他方の面１２に複数の開口部３１を有して配置された配線パターン３０とを備えている。
以下では、第１の方向にＹ軸、一方の面１１上にＹ軸に直交するＸ軸（第２の方向）をとり、一方の面１１上に右手系のＸＹＺ座標系を規定して説明する。
【００１５】
絶縁層１０は、一般的なポリイミドフィルムなどの絶縁性を有する材料で形成されている。
信号配線２１〜２６は、それぞれが線幅Ｗ１で、Ｘ軸方向にピッチＰ１で形成されている。信号配線２１〜２６は、例えば銅箔などの導電性を有する金属により形成されている。
信号配線２１と信号配線２２、信号配線２３と信号配線２４、および、信号配線２５と信号配線２６が３系統のＬＶＤＳのペアをなし、それぞれが差動配線となって高速差動信号を伝送する。なお、信号配線２１、２３、２５が第１の信号配線に相当し、信号配線２２、２４、２６が第２の信号配線に相当する。
信号配線２１〜２６は、ポリイミドフィルムなどの被覆絶縁層４１により覆われている。
【００１６】
配線パターン３０は、Ｙ軸の正の向きからＸ軸の正の向き側に角度θ１回転した方向に延びる複数の第１の構成体３２と、Ｙ軸の正の向きからＸ軸の負の向き側に角度θ１回転した方向に延びる複数の第２の構成体３３とを合せて一体にすることで構成されている。この例では、θ１は４５°となっている。
第１の構成体３２および第２の構成体３３の線幅は、それぞれＷ２に設定され、隣り合う第１の構成体３２間の距離、および、隣り合う第２の構成体３３間の距離は、互いに等しく設定されている。
このように構成された配線パターン３０のそれぞれの開口部３１は、絶縁層１０の厚さ方向ともなるＺ軸に平行に見て、同一の正方形状に形成されている。開口部３１は、Ｘ軸方向にピッチＰ２で、Ｙ軸方向にピッチＰ３でというように、Ｘ軸方向およびＹ軸方向にそれぞれ一定の周期で形成されている。この例では、ピッチＰ２とピッチＰ３とは等しくなっている。
配線パターン３０は、例えば銅箔により形成され、ポリイミドフィルムの被覆絶縁層４２により覆われている。図示しないが、配線パターン３０は接地されていて、グランド層となっている。
【００１７】
ここで、図１を用いて、平面視における信号配線２１〜２６と配線パターン３０との位置関係について説明する。信号配線２１〜２６はＸ軸方向にピッチＰ１で形成されているため、以下では、信号配線２３、２４を例にとって説明する。
信号配線２３と信号配線２４との間に、Ｙ軸に平行に設定されるとともに、自身から信号配線２３までと信号配線２４までとのＸ軸方向の距離が互いに等しく設定された基準線Ｌ１を規定する。この場合、信号配線２３の中心から基準線Ｌ１までの距離、および、信号配線２４の中心から基準線Ｌ１までの距離は、それぞれ（Ｐ１／２）となる。
信号配線２３および信号配線２４の少なくとも一方に重なる位置に配置された開口部３１ａ〜３１ｋは、基準線Ｌ１に対して全体として線対称になるように配置されている。具体的には、基準線Ｌ１上に配置された開口部３１ｅ、３１ｆ、３１ｇは、それぞれが基準線Ｌ１に対して線対称に形成されている。基準線Ｌ１上に配置されていない開口部３１ａと開口部３１ｈ、開口部３１ｂと開口部３１ｉ、開口部３１ｃと開口部３１ｊ、そして、開口部３１ｄと開口部３１ｋは、互いに基準線Ｌ１に対して線対称に形成されている。
なお、本実施形態では、複数の開口部３１全体としても、基準線Ｌ１に対して線対称になるように配置されている。
【００１８】
それぞれの開口部３１の外縁に対する接線Ｔ１は、基準線Ｌ１に対して４５°である角度θ１で交わるように形成されている。本実施形態では、開口部３１は正方形状であるため、開口部３１の外縁の接線Ｔ１は、開口部３１を構成する辺に重なる。
開口部３１のＸ軸方向のピッチＰ２は、信号配線２３、２４間のピッチＰ１の２倍に設定されている。
【００１９】
次に、信号配線２１〜２６と配線パターン３０との各断面における位置関係について説明する。
図２は、第１の構成体３２と第２の構成体３３との交差部分を通るＹ軸に垂直な平面によるＦＰＣ１の図１中の切断線Ｂ１−Ｂ１における断面図である。絶縁層１０を介して信号配線２１〜２６に対向する位置に、配線パターン３０は配置されておらず、この位置には開口部３１が形成されている。信号配線２２と信号配線２３、信号配線２４と信号配線２５のそれぞれの中心に対して絶縁層１０の反対側には、配線パターン３０がピッチＰ２で配置されている。
一方で、図３に示す図１中の切断線Ｂ２−Ｂ２における断面図においては、絶縁層１０を介して信号配線２１〜２６に対向する位置に、配線パターン３０がピッチＰ１で配置されている。
【００２０】
図４は、図１中の切断線Ａ１−Ａ１の断面図である。なお、図１中の切断線Ａ２−Ａ２の断面図も、図４と同一の形状となる。
図４に示すように、絶縁層１０を介して信号配線２１に対向する位置には、配線パターン３０がピッチＰ３の半分のピッチで配置されている。
【００２１】
このように構成されたＦＰＣ１は、配線パターン３０をグランド層とした状態で、信号配線２１と信号配線２２、信号配線２３と信号配線２４、および、信号配線２５と信号配線２６に、それぞれ高速差動信号を伝送することができる。
【００２２】
以上説明したように、本実施形態のＦＰＣ１によれば、Ｚ軸に平行に見て、開口部３１ａ〜３１ｋを基準線Ｌ１に対して全体として線対称になるように配置することで、ＦＰＣ１の対称性を保ち、特性インピーダンスの不整合位置のずれに起因したノイズを抑制することができる。
複数の開口部３１を有する配線パターン３０を備えることで、絶縁層１０を薄くしても特性インピーダンスの調節が容易となるため、高速差動信号を伝送できるＦＰＣ１をＺ軸方向に小型化することができる。
なお、本実施形態のＦＰＣ１は、信号配線２１〜２６が短い場合にも、好適に用いることができる。
【００２３】
開口部３１は、Ｘ軸方向およびＹ軸方向にそれぞれ一定の周期で形成されている。このため、高速差動信号のノイズをより確実に抑制することができる。
配線パターン３０が接地されてグランド層となっているため、信号配線２１〜２６のノイズをより低減させることができる。
【００２４】
（第２実施形態）
次に、本発明の第２実施形態について図５から図８を参照しながら説明するが、前記実施形態と同一の部位には同一の符号を付してその説明は省略し、異なる点についてのみ説明する。
図５および図６に示すように、本実施形態のＦＰＣ２は、前記第１実施形態のＦＰＣ１の配線パターン３０に代えて配線パターン５０を備えている。
配線パターン５０は、配線パターン３０の構成に、第１の構成体３２と第２の構成体３３との交差部分からＸ軸方向に延びる第３の構成体５１を加えることで構成されている。
【００２５】
配線パターン５０では、配線パターン３０における開口部３１が第３の構成体５１によりＹ軸方向に２つに分割され、第３の構成体５１に対してＹ軸の正の向き側に開口部５２が、Ｙ軸の負の向き側に開口部５３が、それぞれ形成される。
開口部５２、５３は、Ｚ軸に平行に見て、第３の構成体５１に対して線対称となる、直角三角形状に形成されている。開口部５２、５３は、Ｘ軸方向にピッチＰ２で、Ｙ軸方向にピッチＰ３で形成されている。
配線パターン５０は、配線パターン３０と同一の線幅、同一の材料で一体に形成されている。
【００２６】
ここで、図５を用いて、平面視における信号配線２１〜２６と配線パターン５０との位置関係について説明する。以下では、信号配線２３、２４を例にとって説明する。
本実施形態において、複数の開口部５２、５３は、基準線Ｌ１に対して全体として線対称になるように配置されている。
それぞれの開口部５２の外縁に対する一部の接線Ｔ２が基準線Ｌ１に対して交わる角度θ２、および、それぞれの開口部５３の外縁に対する一部の接線Ｔ３が基準線Ｌ１に対して交わる角度θ３は、４５°となっている。
【００２７】
次に、信号配線２１〜２６と配線パターン５０との各断面における位置関係について説明する。
第１の構成体３２と第２の構成体３３との交差部分を通る断面においては、図６に示す図５中の切断線Ｂ３−Ｂ３における断面図のように、絶縁層１０の他方の面１２の全体にわたり、配線パターン５０が配置されている。
一方で、図７に示す図５中の切断線Ｂ４−Ｂ４における断面図では、絶縁層１０を介して信号配線２１〜２６に対向する位置のみに、配線パターン５０がピッチＰ１で配置されている。
【００２８】
図８は、図５中の切断線Ａ３−Ａ３の断面図である。なお、図５中の切断線Ａ４−Ａ４の断面図も、図８と同一の形状となる。
図８に示すように、絶縁層１０を介して信号配線２１に対向する位置には、配線パターン５０がピッチＰ３の４分の１のピッチで配置されている。
このように構成された本実施形態のＦＰＣ２によれば、配線パターン５０を有して特性インピーダンスの調節を容易にしつつ、信号配線２３、２４により高速差動信号を伝送することができる。
【００２９】
（第３実施形態）
次に、本発明の第３実施形態について図９から図１２を参照しながら説明するが、前記実施形態と同一の部位には同一の符号を付してその説明は省略し、異なる点についてのみ説明する。
図９および図１０に示すように、本実施形態のＦＰＣ３は、前記第１実施形態のＦＰＣ１の配線パターン３０に代えて配線パターン６０を備えている。
配線パターン６０には、配線パターン３０の正方形状の開口部３１に代えて、円形状の開口部６１が形成されている。配線パターン６０は、Ｘ軸の正の向きであってＹ軸の正の向きとなる斜め方向に延びる第１の構成体６２と、Ｘ軸の負の向きであってＹ軸の正の向きとなる斜め方向に延びる第２の構成体６３とを合わせて一体にすることで構成されている。
開口部６１は、Ｘ軸方向にピッチＰ２で、Ｙ軸方向にピッチＰ３で形成されている。
配線パターン６０は、配線パターン３０と同一の材料で形成されている。
【００３０】
ここで、図９を用いて、平面視における信号配線２１〜２６と配線パターン６０との位置関係について説明する。以下では、信号配線２３、２４を例にとって説明する。
本実施形態において、複数の開口部６１は、基準線Ｌ１に対して全体として線対称になるように配置されている。
それぞれの開口部６１の外縁上の点Ｑを適切に設定することで、点Ｑにおける接線Ｔ４が基準線Ｌ１に対して交わる角度θ４を、９０°未満の例えば３０°とすることができる。
【００３１】
次に、信号配線２１〜２６と配線パターン６０との各断面における位置関係について説明する。
図１０は、配線パターン６０の第１の構成体６２と第２の構成体６３との交差部分を通るＹ軸に垂直な平面によるＦＰＣ３の図９中の切断線Ｂ５−Ｂ５における断面図である。この断面図において、絶縁層１０を介して信号配線２１〜２６に対向する位置に、配線パターン６０は配置されておらず、この位置には開口部６１が形成されている。
一方で、図１１に示す図９中の切断線Ｂ６−Ｂ６における断面図においては、絶縁層１０を介して信号配線２１〜２６に対向する位置のみに、配線パターン６０がピッチＰ１で配置されている。
【００３２】
図１２は、図９中の切断線Ａ５−Ａ５の断面図である。なお、図９中の切断線Ａ６−Ａ６の断面図も、図１２と同一の形状となる。
図１２に示すように、絶縁層１０を介して信号配線２１に対向する位置には、配線パターン６０がピッチＰ３の半分のピッチで配置されている。
このように構成された本実施形態のＦＰＣ３によれば、前記第１実施形態のＦＰＣ１と同様の効果を奏することができる。
【００３３】
（第４実施形態）
次に、本発明の第４実施形態について図１３から図１６を参照しながら説明するが、前記実施形態と同一の部位には同一の符号を付してその説明は省略し、異なる点についてのみ説明する。
図１３および図１４に示すように、本実施形態のＦＰＣ４は、前記第１実施形態のＦＰＣ１の配線パターン３０に代えて配線パターン７０を備えている。
配線パターン７０は、配線パターン３０における構成体３２、３３の回転角度θ１が、４５°より小さい、例えば、１５°の場合の構成となっている。
このように構成された配線パターン７０のそれぞれの開口部７１は、Ｚ軸に平行に見て、同一の菱形状に形成されている。開口部７１は、Ｘ軸方向に前述のピッチＰ２で、Ｙ軸方向に前述のピッチＰ３より大きいピッチＰ４で形成されている。
【００３４】
次に、信号配線２１〜２６と配線パターン７０との各断面における位置関係について説明する。
図１４は、配線パターン７０の第１の構成体３２と第２の構成体３３との交差部分を通るＹ軸に垂直な平面によるＦＰＣ４の図１３中の切断線Ｂ７−Ｂ７における断面図である。この断面図において、絶縁層１０を介して信号配線２１〜２６に対向する位置に、配線パターン７０は配置されておらず、この位置には開口部７１が形成されている。
一方で、図１５に示す図１３中の切断線Ｂ８−Ｂ８における断面図においては、絶縁層１０を介して信号配線２１〜２６に対向する位置のみに、配線パターン７０がピッチＰ１で配置されている。
【００３５】
図１６は、図１３中の切断線Ａ７−Ａ７の断面図である。なお、図１３中の切断線Ａ８−Ａ８の断面図も、図１６と同一の形状となる。
図１６に示すように、絶縁層１０を介して信号配線２１に対向する位置には、配線パターン７０がピッチＰ４の半分のピッチで配置されている。
【００３６】
このように構成された本実施形態のＦＰＣ４によれば、前記第１実施形態のＦＰＣ１と同様の効果を奏することができる。
さらに、配線パターン７０のＹ軸方向のピッチを長くすることで、絶縁層１０を介して信号配線２１〜２６に対向する位置に配置された配線パターン７０における、Ｙ軸方向の単位長さ当たりの面積が小さくなる。したがって、絶縁層１０を薄くしても特性インピーダンスの調節が容易となるため、ＦＰＣ４をＺ軸方向にさらに小型化することができる。
【００３７】
（第５実施形態）
次に、本発明の第５実施形態について図１７から図２０を参照しながら説明するが、前記実施形態と同一の部位には同一の符号を付してその説明は省略し、異なる点についてのみ説明する。
図１７および図１８に示すように、本実施形態のＦＰＣ５は、前記第１実施形態のＦＰＣ１の各構成に加えて、グランド配線８１、８２を備えている。
【００３８】
グランド配線８１、８２は、絶縁層１０の一方の面１１に、Ｙ軸方向に延びるとともにＸ軸方向において信号配線２３、２４を挟むように配置されている。グランド配線８１と基準線Ｌ１との距離と、グランド配線８２と基準線Ｌ１との距離とは、Ｘ軸方向において互いに等しく設定されている。
本実施形態では、グランド配線８１は、信号配線２２と信号配線２３との間に、信号配線２２までと信号配線２３までとの距離がＸ軸方向において互いに等しくなるように配置されている。グランド配線８２は、信号配線２４と信号配線２５との間に、信号配線２４までと信号配線２５までとの距離がＸ軸方向において互いに等しくなるように配置されている。
具体的には、信号配線２２、グランド配線８１、および信号配線２３のピッチ、信号配線２４、グランド配線８２、および信号配線２５のピッチは、それぞれ（Ｐ１／２）となる。
グランド配線８１、８２は、Ｚ軸に平行に見て、第１の構成体３２と第２の構成体３３との交差部分に重なるように配置されている。
グランド配線８１、８２は、線幅Ｗ１で、例えば銅箔により形成され、被覆絶縁層４１により覆われている。
【００３９】
次に、信号配線２１〜２６、配線パターン３０、およびグランド配線８１、８２の各断面における位置関係について説明する。
図１８は、第１の構成体３２と第２の構成体３３との交差部分を通るＹ軸に垂直な平面によるＦＰＣ５の図１７中の切断線Ｂ９−Ｂ９における断面図である。絶縁層１０を介して信号配線２１〜２６に対向する位置に、配線パターン３０は配置されておらず、この位置には開口部３１が形成されている。絶縁層１０を介してグランド配線８１、８２に対向する位置には、配線パターン３０がピッチＰ２で配置されている。
一方で、図１９に示す図１７中の切断線Ｂ１０−Ｂ１０における断面図においては、絶縁層１０を介して信号配線２１〜２６に対向する位置に、配線パターン３０がピッチＰ１で配置されている。絶縁層１０を介してグランド配線８１、８２に対向する位置には、配線パターン３０は配置されていない。
【００４０】
図２０は、図１７中の切断線Ａ９−Ａ９の断面図である。なお、図１７中の切断線Ａ１０−Ａ１０の断面図も、図２０と同一の形状となる。
図２０に示すように、絶縁層１０を介してグランド配線８１に対向する位置には、配線パターン３０がピッチＰ３で配置されている。
【００４１】
このように構成された本実施形態のＦＰＣ５によれば、前記第１実施形態のＦＰＣ１と同様の効果を奏することができる。
さらに、グランド配線８１、８２を備えることで、外部のノイズにより信号配線２３、２４で伝送される高速差動信号が影響を受けることを防止し、ＬＶＤＳの信号品質を向上させることができる。また、信号配線２３、２４から発生するノイズが外部に放出されることを防止することができる。
【００４２】
なお、本実施形態では、グランド配線８１と信号配線２３、信号配線２４とグランド配線８２のピッチは、それぞれ（Ｐ１／２）であるとした。しかし、これは必須の構成ではなく、グランド配線８１と基準線Ｌ１との距離、およびグランド配線８２と基準線Ｌ１との距離がＸ軸方向において互いに等しく設定されていればよい。このように構成しても、高速差動信号のノイズを抑制できるからである。
【００４３】
以上、本発明の第１実施形態から第５実施形態について図面を参照して詳述したが、具体的な構成はこの実施形態に限られるものではなく、本発明の要旨を逸脱しない範囲の構成の変更なども含まれる。さらに、各実施形態で示した構成のそれぞれを適宜組み合わせて利用できることは、言うまでもない。
たとえば、前記第１実施形態から第５実施形態では、差動信号用配線基板が２層のＦＰＣであるとして説明した。しかし、差動信号用配線基板は、３層以上のＦＰＣであるとしてもよいし、２層以上の硬質基板であってもよい。
【００４４】
また、前記第１実施形態から第５実施形態では、配線パターンの開口部は、Ｘ軸方向およびＹ軸方向にそれぞれ一定の周期で形成されていた。しかし、例えば、前記第１実施形態の変形例として図２１に示すＦＰＣ６のように、開口部３１はＸ軸方向やＹ軸方向に一定の周期で形成されていなくてもよい。
この変形例のＦＰＣ６では、信号配線として信号配線２３、２４のみが備えられていて、正方形状の複数の開口部３１は、基準線Ｌ１に対して全体として線対称になるように配置されている。
開口部３１は、Ｚ軸に平行に見て、基準線Ｌ１に重なる位置に配置された開口部３１ｆを中心として、４つの方向に並べて配置されている。すなわち、Ｘ軸の正の向きであってＹ軸の正の向きとなる斜め方向、Ｘ軸の負の向きであってＹ軸の正の向きとなる斜め方向、Ｘ軸の負の向きであってＹ軸の負の向きとなる斜め方向、および、Ｘ軸の正の向きであってＹ軸の負の向きとなる斜め方向である。
ＦＰＣ６をこのように構成しても、特性インピーダンスの調節を容易にしつつ、高速差動信号を伝送することができる。
【００４５】
前記第１実施形態から第５実施形態では、信号配線２１と信号配線２２、信号配線２３と信号配線２４、および、信号配線２５と信号配線２６が、それぞれＬＶＤＳのペアをなすとした。しかし、信号配線２２と信号配線２３、信号配線２４と信号配線２５も、それぞれの間に規定される基準線に対して開口部３１が線対称になるように配置されているため、ＬＶＤＳのペアをなすことができる。
【００４６】
また、前記第１実施形態から第５実施形態では、ＬＶＤＳについて説明をしたが、信号配線２１〜２６のそれぞれを、１つのシングル信号の伝送路として使用することもできる。この場合には、信号配線２１〜２６間の特性インピーダンスの不整合位置のずれをなくすことで、信号間のスキューを防止し、信号を高速に伝送することができる。
また、信号配線２１〜２６のそれぞれを、電源配線として用いてもよい。
前記第１実施形態から第５実施形態では、配線パターンをグランド層として用いたが、配線パターンを電源層として用いてもよい。
前記第１実施形態から第５実施形態では、角度θ１〜θ４は、０°より大きく９０°未満の任意の角度に設定することができる。
【符号の説明】
【００４７】
１、２、３、４、５、６  ＦＰＣ（差動信号用配線基板）
１０  絶縁層
１１  一方の面
１２  他方の面
２１、２３、２５  信号配線（第１の信号配線）
２２、２４、２６  信号配線（第２の信号配線）
３０、５０、６０、７０  配線パターン
３１、５２、５３、６１、７１  開口部
８１、８２  グランド配線
Ｌ１  基準線
Ｔ１、Ｔ２、Ｔ３、Ｔ４  接線
Ｘ    軸（第２の方向）
Ｙ    軸（第１の方向）
Ｚ    軸（厚さ方向）
【図１】
2012227211.tif 000003
【図２】
2012227211.tif 000004
【図３】
2012227211.tif 000005
【図４】
2012227211.tif 000006
【図５】
2012227211.tif 000007
【図６】
2012227211.tif 000008
【図７】
2012227211.tif 000009
【図８】
2012227211.tif 000010
【図９】
2012227211.tif 000011
【図１０】
2012227211.tif 000012
【図１１】
2012227211.tif 000013
【図１２】
2012227211.tif 000014
【図１３】
2012227211.tif 000015
【図１４】
2012227211.tif 000016
【図１５】
2012227211.tif 000017
【図１６】
2012227211.tif 000018
【図１７】
2012227211.tif 000019
【図１８】
2012227211.tif 000020
【図１９】
2012227211.tif 000021
【図２０】
2012227211.tif 000022
【図２１】
2012227211.tif 000023